(57)【要約】【課題】同一の機器から出力された複数の画像データを表示する際の操作を容易にする。【解決手段】表示装置１は、画像を表示する表示部１３と、外部から複数の画像データを取得する画像取得部１１と、複数の画像データに関連付けられたメタ情報が、複数の画像データが同一の撮影装置から出力された画像データであることを示している場合に、複数の画像データのうち少なくとも一つの画像データに所定の画像処理を施し、かつ他の少なくとも一つの画像データに所定の画像処理を施さないで、複数の画像データを表示部１３に表示させる表示制御部１２と、を有する。【選択図】図２
2017227864.tif 000002
【特許請求の範囲】
【請求項１】
画像を表示する表示手段と、
外部から複数の画像データを取得する画像取得手段と、
前記複数の画像データに関連付けられたメタ情報に基づいて、前記複数の画像データが同一の画像出力装置から出力された画像データであると判定した場合に、前記複数の画像データのうち少なくとも一つの画像データに所定の画像処理を施し、かつ他の少なくとも一つの画像データに前記所定の画像処理を施さないで、前記複数の画像データを表示手段に表示させる表示制御手段と、
を有することを特徴とする表示装置。
【請求項２】
前記表示制御手段は、前記メタ情報に基づいて、前記複数の画像データが同一の画像出力装置から出力された画像データでないと判定した場合に、前記複数の画像データの全ての画像データに前記所定の画像処理を施して、又は前記全ての画像データに前記所定の画像処理を施さずに前記表示手段に表示させることを特徴とする、
請求項１に記載の表示装置。
【請求項３】
前記表示制御手段は、前記複数の画像データのうち前記所定の画像処理を施す画像データを示す設定情報を記憶しており、前記複数の画像データが同一の画像出力装置から出力された画像データであり、かつ前記設定情報が、前記画像データに前記所定の画像処理を施す領域が前記表示手段の全画像データであることを示している場合に、前記所定の画像処理を施す画像データを一部の画像データに変更することを特徴とする、
請求項１又は２に記載の表示装置。
【請求項４】
前記表示制御手段は、前記メタ情報に基づいて、前記複数の画像データが同一の画像出力装置から出力された画像データであると判定した場合に、前記表示手段の複数の領域のうち一部の領域に表示する画像データに前記所定の画像処理を施し、かつ他の少なくとも一部の領域に表示する画像データに前記所定の画像処理を施さないで、前記前記表示手段に表示させ、前記メタ情報に基づいて、前記複数の画像データが同一の画像出力装置から出力された画像データでないと判定した場合に、前記表示手段の全領域に表示する画像データに所定の画像処理を施して、又は前記複数の画像データの全ての画像データに前記所定の画像処理を施さずに前記表示手段に表示させることを特徴とする、
請求項１から３のいずれか一項に記載の表示装置。
【請求項５】
前記表示制御手段は、前記所定の画像処理を施す領域を示す設定情報を記憶しており、前記複数の画像データが同一の画像出力装置から出力された画像データであり、かつ前記設定情報が、前記所定の画像処理を施す対象が全画像データ又は前記表示手段の全領域であることを示している場合に、前記所定の画像処理を施す対象を前記複数の画像データのうちの一部の画像データ又は前記表示手段の一部の領域に変更することを特徴とする、
請求項４に記載の表示装置。
【請求項６】
前記表示制御手段は、前記複数の画像データを出力した前記画像出力装置に関連付けられた出力装置情報に基づいて、前記複数の画像データが同一の画像出力装置から出力された画像データであるか否かを判定することを特徴とする、
請求項１から５のいずれか一項に記載の表示装置。
【請求項７】
前記出力装置情報は、前記画像データの撮影条件を示す情報を含み、
前記表示制御手段は、前記複数の画像データに関連付けられた前記撮影条件が同一であるか否かに基づいて、前記複数の画像データが同一の画像出力装置から出力された画像データであるか否かを判定することを特徴とする、
請求項６に記載の表示装置。
【請求項８】
前記表示制御手段は、前記メタ情報に基づいて、前記複数の画像データが同一の画像出力装置から出力された画像データであると判定し、かつ、前記複数の画像データの信号フォーマットを示す情報に基づいて、前記複数の画像データが同一であると判定した場合に、前記複数の画像データのうち少なくとも一つの画像データに所定の画像処理を施し、かつ他の少なくとも一つの画像データに前記所定の画像処理を施さないで、前記複数の画像データを表示手段に表示させることを特徴とする、
請求項１から７のいずれか一項に記載の表示装置。
【請求項９】
前記表示制御手段は、前記複数の画像データに関連付けられたメタ情報に基づいて、前記複数の画像データが同一の画像出力装置から出力された画像データであると判定した場合に、前記複数の画像データのうち少なくとも一つの画像データに対応する位置に前記画像出力装置に関連する出力装置情報を配置し、かつ他の少なくとも一つの画像データに対応する位置に前記出力装置情報を配置しないで前記複数の画像データを表示手段に表示させ、前記メタ情報に基づいて、前記複数の画像データが同一の画像出力装置から出力された画像データでないと判定した場合に、前記複数の画像データの全ての画像データに対応する位置に前記出力装置情報を配置して表示させることを特徴とする、
請求項１から８のいずれか一項に記載の表示装置。
【請求項１０】
前記画像取得手段が取得した前記複数の画像データのうちの少なくとも一つの画像データに、前記表示装置に関連付けられた表示装置情報を付加して出力する画像出力手段をさらに有することを特徴とする、
請求項１から９のいずれか一項に記載の表示装置。
【請求項１１】
前記画像出力手段は、前記画像取得手段が有する複数の画像取得インタフェースのうち、どの画像取得インタフェースから前記画像データが取得されたかを特定するための入力部情報を含む前記表示装置情報を付加することを特徴とする、
請求項１０に記載の表示装置。
【請求項１２】
前記画像取得手段は、第１画像取得手段と第２画像取得手段とを有し、
前記表示制御手段は、前記第１画像取得手段が取得した画像データに関連付けられたメタ情報に含まれている前記表示装置情報が、前記第２画像取得手段に対応する前記入力部情報を含んでいる場合に、前記複数の画像データが同一の画像出力装置から出力された画像データであると判定することを特徴とする、
請求項１１に記載の表示装置。
【請求項１３】
前記所定の画像処理は、前記画像データの輪郭部分にあたる領域を強調表示する処理を含むことを特徴とする、
請求項１から１２のいずれか一項に記載の表示装置。
【請求項１４】
画像を表示する表示手段と、
外部から複数の画像データを取得する画像取得手段と、
前記複数の画像データに関連付けられたメタ情報に基づいて、前記複数の画像データが同一の画像出力装置から出力された画像データであると判定した場合に、前記複数の画像データのうち少なくとも一つの画像データに対応する位置に前記画像出力装置に関連する出力装置情報を配置し、かつ他の少なくとも一つの画像データに対応する位置に前記出力装置情報を配置しないで前記複数の画像データを表示手段に表示させる表示制御手段と、
を有することを特徴とする表示装置。
【請求項１５】
画像を表示する表示手段と、
外部から第１画像データを取得する画像取得手段と、
前記第１画像データと、前記第１画像データを複製して生成した第２画像データとを含む複数の画像データを表示する表示モードであると判定した場合に、前記複数の画像データのうち少なくとも一つの画像データに所定の画像処理を施し、かつ他の少なくとも一つの画像データに前記所定の画像処理を施さないで、前記複数の画像データを表示手段に表示させる表示制御手段と、
を有することを特徴とする表示装置。
【請求項１６】
画像を表示する表示手段と、
画像出力装置から第１画像データを取得する画像取得手段と、
前記第１画像データと、前記第１画像データを複製して生成した第２画像データとを含む複数の画像データを表示する表示モードであると判定した場合に、前記複数の画像データのうち少なくとも一つの画像データに対応する位置に、前記画像出力装置に関連する出力装置情報を配置し、かつ他の少なくとも一つの画像データに対応する位置に前記出力装置情報を配置しないで前記複数の画像データを表示手段に表示させる表示制御手段と、
を有することを特徴とする表示装置。
【請求項１７】
外部から複数の画像データを取得するステップと、
前記複数の画像データに関連付けられたメタ情報に基づいて、前記複数の画像データが同一の画像出力装置から出力された画像データであると判定した場合に、前記複数の画像データのうち少なくとも一つの画像データに所定の画像処理を施し、かつ他の少なくとも一つの画像データに前記所定の画像処理を施さないで、前記複数の画像データを表示手段に表示させるステップと、
を有することを特徴とする表示制御方法。
【請求項１８】
外部から複数の画像データを取得するステップと、
前記複数の画像データに関連付けられたメタ情報に基づいて、前記複数の画像データが同一の画像出力装置から出力された画像データであると判定した場合に、前記複数の画像データのうち少なくとも一つの画像データに対応する位置に、前記画像出力装置に関連する出力装置情報を配置し、かつ他の少なくとも一つの画像データに対応する位置に前記出力装置情報を配置しないで前記複数の画像データを表示手段に表示させるステップと、
を有することを特徴とする表示制御方法。
【請求項１９】
外部から第１画像データを取得するステップと、
前記第１画像データと、前記第１画像データを複製して生成した第２画像データとを含む複数の画像データを表示する表示モードであると判定した場合に、前記複数の画像データのうち少なくとも一つの画像データに所定の画像処理を施し、かつ他の少なくとも一つの画像データに前記所定の画像処理を施さないで、前記複数の画像データを表示手段に表示させるステップと、
を有することを特徴とする表示制御方法。
【請求項２０】
画像出力装置から第１画像データを取得するステップと、
前記第１画像データと、前記第１画像データを複製して生成した第２画像データとを含む複数の画像データを表示する表示モードであると判定した場合に、前記複数の画像データのうち少なくとも一つの画像データに対応する位置に、前記画像出力装置に関連する出力装置情報を配置し、かつ他の少なくとも一つの画像データに対応する位置に前記出力装置情報を重畳しないで前記複数の画像データを表示手段に表示させるステップと、
を有することを特徴とする表示制御方法。
【発明の詳細な説明】
【技術分野】
【０００１】
本発明は、画像を表示するための表示装置及び表示制御方法に関するものである。
【背景技術】
【０００２】
複数の画像を同時に表示することができる表示装置が知られている。特許文献１には、ユーザが画像を解析しやすくするために、同一の画像に異なる画像処理を施した複数の画像を並べて表示することができる表示装置が開示されている。
【先行技術文献】
【特許文献】
【０００３】
【特許文献１】特開２０１３−１３７６３５号公報
【発明の概要】
【発明が解決しようとする課題】
【０００４】
近年、映像制作の現場では、撮影装置を用いて撮影した画像を表示装置に表示させ、撮影者が、撮影した画像の画質をリアルタイムで確認する場合がある。このような映像制作の現場においては、撮影者等のユーザが、同一の撮影装置から出力した複数の映像信号を表示装置に入力させ、複数の映像信号それぞれに含まれる複数の画像データの一方だけに画像処理を施した状態で複数の画像データを比較したいというニーズがある。
【０００５】
しかしながら、従来は、特許文献１に開示されているように、複数の画像データを表示する際に、それぞれの画像データにどのような画像処理を施すかをユーザが設定しなければならなかった。手動により設定を行うことはユーザにとって煩雑であり、できるだけユーザの手を煩わせないで、複数の画像データを表示させる方法が求められていた。
【０００６】
そこで、本発明は上述した点に鑑みてなされたものであり、同一の機器から出力された複数の画像データを表示する際の操作を容易にするための表示装置及び表示制御方法を提供することを目的とする。
【課題を解決するための手段】
【０００７】
上記の課題を解決するために、本発明の第１の態様の表示装置は、画像を表示する表示手段と、外部から複数の画像データを取得する画像取得手段と、前記複数の画像データに関連付けられたメタ情報に基づいて、前記複数の画像データが同一の画像出力装置から出力された画像データであると判定した場合に、前記複数の画像データのうち少なくとも一つの画像データに所定の画像処理を施し、かつ他の少なくとも一つの画像データに前記所定の画像処理を施さないで、前記複数の画像データを表示手段に表示させる表示制御手段と、を有することを特徴とする。
【０００８】
本発明の第２の態様の表示装置は、画像を表示する表示手段と、外部から複数の画像データを取得する画像取得手段と、前記複数の画像データに関連付けられたメタ情報に基づいて、前記複数の画像データが同一の画像出力装置から出力された画像データであると判定した場合に、前記複数の画像データのうち少なくとも一つの画像データに対応する位置に、前記画像出力装置に関連する出力装置情報を配置し、かつ他の少なくとも一つの画像データに対応する位置に前記出力装置情報を配置しないで前記複数の画像データを表示手段に表示させる表示制御手段と、を有することを特徴とする。
【０００９】
本発明の第３の態様の表示装置は、画像を表示する表示手段と、外部から第１画像データを取得する画像取得手段と、前記第１画像データと、前記第１画像データを複製して生成した第２画像データとを含む複数の画像データを表示する表示モードであると判定した場合に、前記複数の画像データのうち少なくとも一つの画像データに所定の画像処理を施し、かつ他の少なくとも一つの画像データに前記所定の画像処理を施さないで、前記複数の画像データを表示手段に表示させる表示制御手段と、を有することを特徴とする。
【００１０】
本発明の第４の態様の表示装置は、画像を表示する表示手段と、画像出力装置から第１画像データを取得する画像取得手段と、前記第１画像データと、前記第１画像データを複製して生成した第２画像データとを含む複数の画像データを表示する表示モードであると判定した場合に、前記複数の画像データのうち少なくとも一つの画像データに対応する位置に、前記画像出力装置に関連する出力装置情報を配置し、かつ他の少なくとも一つの画像データに対応する位置に前記出力装置情報を配置しないで前記複数の画像データを表示手段に表示させる表示制御手段と、を有することを特徴とする。
【発明の効果】
【００１１】
本発明によれば、同一の機器から出力された複数の画像データを表示する際の操作を容易にすることができるという効果を奏する。
【図面の簡単な説明】
【００１２】
【図１】第１の実施形態に係る表示装置１の概要を説明するための図である。
【図２】第１の実施形態に係る表示装置１の構成を示す図である。
【図３】画質設定情報の一例を示すテーブルである。
【図４】映像信号フォーマット情報の一例を示す図である。
【図５】出力装置情報の一例を示す図である。
【図６】表示装置１の処理の流れを示すフローチャートである。
【図７】各表示モードにおいて表示される画面の例を示す図である。
【図８】同一の画像を表示する際の処理の流れを示すフローチャートである。
【図９】カメラ情報画面生成部１２８の処理の流れを示すフローチャートである。
【図１０】画質設定情報の設定状態を示す図である。
【図１１】表示画面例を示す図である。
【図１２】第２の実施形態に係る表示装置２の構成を示す図である。
【図１３】スルーアウト情報の一例を示すテーブルである。
【図１４】同一性判定部１２６が、複数の画像データを出力した撮影装置５の同一性を判定する処理のフローチャートである。
【図１５】第３の実施形態に係る表示装置３の構成を示す図である。
【図１６】同一の画像を表示する際の処理の流れを示すフローチャートである。
【発明を実施するための形態】
【００１３】
＜第１の実施形態＞
［表示装置１の概要］
図１は、第１の実施形態に係る表示装置１の概要を説明するための図である。表示装置１は、１台以上の撮影装置５から複数の映像信号の入力を受けて、入力された複数の映像信号に基づく複数の画像データを同時に表示することができる。図１（ａ）は、撮影装置５ａが出力する画像データ６１と撮影装置５ｂが出力する画像データ６２とが表示装置１に入力され、表示装置１が画像データ６１及び画像データ６２を表示している状態を示す図である。図１（ｂ）は、撮影装置５ａが出力する画像データ６１及び画像データ６３が表示装置１に入力され、表示装置１が画像データ６１及び画像データ６３を表示している状態を示す図である。撮影装置５ａ及び撮影装置５ｂは、撮像画像を出力する画像出力装置である。
【００１４】
表示装置１は、複数の映像信号に基づく複数の画像データのうちの少なくとも一方に所定の画像処理を施した画像や、画像データを出力した撮影装置５に関連する情報（以下、出力装置情報という）を複数の画像データのうちの少なくとも一方に重畳した画像を表示させることができる。出力装置情報は、表示装置１に入力される映像信号を出力する撮影装置や撮影環境に関する情報であり、例えば、撮影装置の機種名、撮影日時、及びシャッタースピード等を示す情報である。
【００１５】
表示装置１は、複数の画像データが、同一の撮影装置５から出力された画像データであるかどうかを判定し、複数の画像データが同一の撮影装置５から出力されていない場合には、複数の画像データに所定の画像処理を施した状態で表示する。これに対して、表示装置１は、同一の撮影装置５から出力された複数の画像データが入力されている場合には、少なくとも一つの画像データに所定の画像処理を施し、他の画像データに所定の画像処理を施さない状態で複数の画像データを表示する。
【００１６】
図１（ａ）においては、表示装置１が撮影装置５ａ及び撮影装置５ｂから出力される画像データ６１及び画像データ６２を表示することが想定されている。この場合、画像データ６１及び画像データ６２に同一の画像処理が施され、画像データ６１及び画像データ６２の両方に、対応する撮影装置５ａ及び撮影装置５ｂの出力装置情報が表示されている。このようにすることで、ユーザは、異なる撮影装置５から出力された異なる画像データ６１及び画像データ６２に同じ画像処理を施した状態で比較しやすくなる。
【００１７】
これに対して、図１（ｂ）においては、表示装置１が一台の撮影装置５ａから出力される画像データ６１及び画像データ６３を表示することが想定されている。例えば、撮影装置５が、画像データ６２としてのＲＡＷ画像データと画像データ６３としてのモニタ用画像データとを出力できる場合、撮影者が、モニタ用画像データをモノクロ表示させた状態でＲＡＷ画像データをカラー表示させて比較したいという場合がある。
【００１８】
このような場合、図１（ｂ）に示すように、表示装置１は、画像データ６１には画像処理を施すが、画像データ６３には画像処理を施さない。また、表示装置１は、画像データ６１には出力装置情報を重畳するが、画像データ６３には出力装置情報を重畳しない。例えば、図１（ｂ）に示すように、表示装置１は、画像データ６１に対応する位置には出力装置情報を配置して表示させるが、画像データ６３に対応する位置には出力装置情報を配置せず、出力装置情報を表示させない。このようにすることで、ユーザは、例えば、画像データ６１の一部の色だけを抽出した状態で表示させて、画像データ６３と比較することで、抽出した色が画像の見栄えに与える影響を確認するようなことが可能になる。
【００１９】
表示装置１は、出力装置情報に基づいて、複数の画像データのうち、どの画像データに画像処理を施すかを制御する。表示装置１がこのような構成を有することで、撮影者は、手動で設定操作をすることなく、同一の撮影装置から出力された画像データに異なる画像処理を施して比較することが可能になる。
以下、表示装置１の構成及び動作の詳細について説明する。
【００２０】
［表示装置１の構成］
図２は、第１の実施形態に係る表示装置１の構成を示す図である。表示装置１は、画像取得部１１と、表示制御部１２と、表示部１３とを有する。表示部１３は、表示制御部１２から出力される表示画像データを表示するディスプレイである。
【００２１】
画像取得部１１は、第１画像取得部１１１及び第２画像取得部１１２を有する。第１画像取得部１１１及び第２画像取得部１１２は、例えばＳＤＩ（Serial Digital Interface）規格に準じたＳＤＩ入力端子を備えており、表示装置１の外部の撮影装置５から、第１画像データを含む第１映像信号及び第２画像データを含む第２映像信号を取得する。第１画像取得部１１１及び第２画像取得部１１２は、取得した第１映像信号及び第２映像信号から、表示装置１の内部で処理可能な形式の第１画像データ及び第２画像データを取り出して、第１画像データ及び第２画像データを表示制御部１２に出力する。
【００２２】
表示制御部１２は、画像合成部１２１、画像処理部１２２、画面合成部１２３、表示画像出力部１２４、メタ情報解析部１２５、同一性判定部１２６、設定情報保持部１２７及びカメラ情報画面生成部１２８を有する。表示制御部１２は、画像取得部１１から入力される第１画像データ及び第２画像データに基づいて、表示部１３に表示するための表示画像データを生成し、表示部１３に表示画像データを表示させる。
【００２３】
具体的には、表示制御部１２は、以下のように動作する。まず、表示制御部１２は、画像取得部１１が取得した複数の画像データに関連付けられたメタ情報に基づいて、複数の画像データが同一の撮影装置５から出力された画像データであるかを判定する。表示制御部１２は、例えば、画像取得部１１が取得した複数の画像データに関連付けられたメタ情報が、複数の画像データが同一の撮影装置５から出力された画像データであることを示しているかを判定する。表示制御部１２は、複数の画像データが同一の撮影装置５から出力されている場合に、複数の画像データのうち少なくとも一つの画像データに所定の画像処理を施し、かつ他の少なくとも一つの画像データに所定の画像処理を施さないで、複数の画像データを表示部１３に表示させる。
【００２４】
また、表示制御部１２は、メタ情報に基づいて、複数の画像データが同一の撮影装置５から出力された画像データでないと判定した場合に、複数の画像データの全ての画像データに所定の画像処理を施して、又は全ての画像データに所定の画像処理を施さずに表示部１３に表示させる。表示制御部１２は、例えば、メタ情報が、複数の画像データが同一の撮影装置５から出力された画像データでないことを示している場合に、複数の画像データの全ての画像データに所定の画像処理を施して、又は全ての画像データに所定の画像処理を施さずに表示部１３に表示させる。
【００２５】
表示制御部１２は、第１画像データを表示部１３の第１領域に表示させ、第２画像データを表示部１３の第２領域に表示させる。したがって、表示制御部１２は、メタ情報が、複数の画像データが同一の撮影装置５から出力された画像データであることを示している場合に、表示部１３の複数の領域のうち一部の領域（例えば第１領域）に表示する第１画像データに所定の画像処理を施し、表示制御部１２は、他の少なくとも一部の領域（例えば第２領域）に表示する第２画像データに所定の画像処理を施さない。表示制御部１２は、メタ情報が、複数の画像データが同一の撮影装置５から出力された画像データでないことを示している場合に、表示部１３の全領域に表示する画像データに所定の画像処理を施して、又は全ての画像データに所定の画像処理を施さずに表示部１３に表示させる。
【００２６】
また、表示制御部１２は、複数の画像データに関連付けられたメタ情報が、複数の画像データが同一の撮影装置５から出力された画像データであることを示している場合に、複数の画像データのうち少なくとも一つの画像データ（例えば第１画像データ）に出力装置情報を重畳し、かつ他の少なくとも一つの画像データ（例えば第２画像データ）に出力装置情報を重畳しないで複数の画像データを表示部１３に表示させてもよい。例えば、表示制御部１２は、第１画像データに対応する位置には出力装置情報を配置して表示させ、かつ第２画像データに対応する位置には出力装置情報を配置せず、出力装置情報を表示させない。表示制御部１２は、メタ情報が、複数の画像データが同一の撮影装置５から出力された画像データでないことを示している場合に、複数の画像データの全ての画像データに対応する位置に出力装置情報を配置して表示させる。このようにすることで、同一の情報が表示部１３の複数の箇所に表示されて、画像を見づらくなることを防止することができる。
【００２７】
さらに、表示制御部１２は、メタ情報として映像信号フォーマット情報をさらに用いてもよい。具体的には、表示制御部１２は、複数の画像データの映像信号フォーマットに基づいて、複数の画像データが同一であるか否かを判定する。表示制御部１２は、複数の画像データが同一である場合に、複数の画像データのうち少なくとも一つの画像データに所定の画像処理を施し、かつ他の少なくとも一つの画像データに所定の画像処理を施さないで、複数の画像データを表示部１３に表示させる。
【００２８】
また、表示制御部１２は、映像信号フォーマット情報が、複数の画像データが同一であることを示している場合に、複数の画像データのうち少なくとも一つの画像データに出力装置情報を重畳し、かつ他の少なくとも一つの画像データに出力装置情報を重畳しないで複数の画像データを表示部１３に表示させる。例えば、表示制御部１２は、複数の画像データのうち少なくとも一つの画像データに対応する位置に出力装置情報を配置して表示させ、かつ他の少なくとも一つの画像データに対応する位置に出力装置情報を配置せず、出力装置情報を表示させない。表示制御部１２は、映像信号フォーマット情報が、複数の画像データが同一でないことを示している場合に、複数の画像データの全ての画像データに出力装置情報を重畳して表示させる。例えば、表示制御部１２は、全ての画像データに対応する位置に出力装置情報を配置して表示させる。
以下、表示制御部１２の各部の動作の詳細について説明する。
【００２９】
画像合成部１２１は、ユーザにより設定された表示モードに基づいて、第１画像取得部１１１及び第２画像取得部１１２から入力された第１画像データ及び第２画像データを合成する。ここで、表示モードは、第１画像データ及び第２画像データを表示する態様に関するモードである。表示装置１は、第１画像データのみを表示する「第１画像表示モード」、第２画像データのみを表示する「第２画像表示モード」、並びに第１画像データ及び第２画像データを同時に表示する「マルチ表示モード」の３つの表示モードを有しており、ユーザは所望の表示モードを選択することができる。
【００３０】
画像合成部１２１は、表示モードが「第１画像表示モード」である場合、第１画像データのみを画像処理部１２２に出力する。画像合成部１２１は、表示モードが「第２画像表示モード」である場合、第２画像データのみを画像処理部１２２に出力する。画像合成部１２１は、表示モードが「マルチ表示モード」である場合、第１画像データ及び第２画像データを表示部１３の左右の領域に配置するように合成した合成画像データを画像処理部１２２に出力する。
【００３１】
画像処理部１２２は、画像合成部１２１から入力された画像データに対して、設定情報保持部１２７から取得した画質設定情報が示す画像処理を施して、画像処理後の画像データを画面合成部１２３に出力する。ここで、画質設定情報は、画像処理の内容を示す情報であり、例えばテーブル形式で設定情報保持部１２７に保持されている。
【００３２】
図３は、画質設定情報の一例を示すテーブルである。
「画質設定対象」は、表示モードが「マルチ表示モード」である場合に参照される設定であり、「全画像」、「左画像」及び「右画像」のいずれの画像データ又は領域に画像処理を施すかを示す情報である。図３は、第１画像データ及び第２画像データの両方を表示する「全画像」に設定されている状態を示している。
【００３３】
「ピーキング」は、画像の輪郭部分にあたる領域を強調表示（着色表示）する機能であり、「ＯＮ」であれば本機能が適用され、「ＯＦＦ」であれば本機能が適用されない。
「フォルスカラー」は、映像の輝度レベル毎に異なる色で着色する機能であり、「ＯＮ」であれば本機能が適用され、「ＯＦＦ」であれば本機能が適用されない。
「モノクロ」は、画像をモノクロ表示する機能であり、「ＯＮ」であれば本機能が適用され、「ＯＦＦ」であれば本機能が適用されない。
「ブルーオンリー」は、画像の赤色成分及び緑色成分を除去し、青色成分のみをモノクロ表示する機能であり、「ＯＮ」であれば本機能が適用され、「ＯＦＦ」であれば本機能が適用されない。
【００３４】
画面合成部１２３は、カメラ情報画面生成部１２８から入力された出力装置情報としてのカメラ情報を含むカメラ情報画面データを、画像処理部１２２から入力された画像データに重畳して合成画像データを生成し、生成した合成画像データを表示画像出力部１２４に出力する。画面合成部１２３は、例えば、画像処理部１２２から入力された画像データと、当該画像データ近傍に配置したカメラ情報画面データとを含む合成画像データを生成する。
表示画像出力部１２４は、画面合成部１２３から入力された合成画像データを表示部１３に出力する。
【００３５】
メタ情報解析部１２５は、第１画像取得部１１１及び第２画像取得部１１２から入力された第１画像データ及び第２画像データに含まれる映像信号フォーマット情報及び出力装置情報等のメタ情報を抽出する。メタ情報解析部１２５は、抽出したメタ情報を同一性判定部１２６に出力する。また、メタ情報解析部１２５は、出力装置情報をカメラ情報画面生成部１２８に出力する。
【００３６】
映像信号フォーマット情報は、撮影装置から出力される映像信号のフォーマットに関する情報である。図４は、映像信号フォーマット情報の一例を示す図である。図４に示すように、映像信号フォーマット情報は、解像度、フレームレート、Ｉ／Ｐ変換種別、カラーフォーマット及び色深度に関する情報を含む。映像信号フォーマット情報は、例えば、ＳＤＩ信号のペイロードデータ領域に格納されている。
【００３７】
図５は、出力装置情報の一例を示す図である。図５のテーブルに示すように、出力装置情報は、機種名、シリアルＮｏ、撮影日時、絞り値、シャッタースピード、ＩＳＯ感度及び焦点距離等の情報を含む。出力装置情報は、例えば、ＳＤＩ信号のアンシラリデータ領域に格納されている。
【００３８】
同一性判定部１２６は、メタ情報解析部１２５から入力された複数の画像データに関連付けられた出力装置情報に基づいて、複数の画像データが同一の撮影装置５から出力された画像データであるか否かを判定する。具体的には、同一性判定部１２６は、第１画像データに関連付けられた出力装置情報と第２画像データに関連付けられた出力装置情報とを比較して、比較した結果が一致している場合に、複数の画像データが同一の撮影装置５から出力された画像データであると判定する。同一性判定部１２６は、例えば、複数の画像データに関連付けられた撮影装置５の機種名及び撮影条件が同一であるか否かに基づいて、複数の画像データが同一の撮影装置５から出力された画像データであるか否かを判定する。同一性判定部１２６は、判定した結果を設定情報保持部１２７及びカメラ情報画面生成部１２８に出力する。
【００３９】
設定情報保持部１２７は、画像データに所定の画像処理を施す対象となる画像データ又は表示領域を特定するための設定情報を記憶している。設定情報保持部１２７は、例えば、画像処理を施す対象となる画像データを示す設定情報として、「全画像」、「右画像」又は「左画像」のいずれかの情報を保持する。設定情報保持部１２７は、画像処理を施す対象となる画像データを示す設定情報として、「全領域」、「右領域」又は「左領域」のいずれかの情報を保持してもよい。
【００４０】
設定情報保持部１２７は、同一性判定部１２６が、複数の画像データが同一の撮影装置５から出力された画像データであると判定し、かつ設定情報が、所定の画像処理を施す対象が全画像データ又は表示部１３の全領域であることを示している場合に、所定の画像処理を施す対象を複数の画像データのうちの一部の画像データ（例えば、「右画像」）又は表示部１３の一部の領域（例えば、「右領域」）に変更する。
【００４１】
設定情報保持部１２７は、画像データを出力した機器の情報を重畳表示する領域又は画像データを特定するための設定情報をさらに保持してもよい。この場合、設定情報保持部１２７は、同一性判定部１２６が、複数の画像データが同一の撮影装置５から出力された画像データであると判定し、かつ設定情報が、所定の画像処理を施す対象となる画像データが全画像データ又は表示部１３の全領域であることを示している場合に、出力装置情報を重畳表示する画像データを一部の画像データ又は一部の表示領域に変更する。
【００４２】
設定情報保持部１２７は、画像処理部１２２からの要求に応じて、設定情報を画像処理部１２２に出力する。また、設定情報保持部１２７は、同一性判定部１２６から入力された同一の撮影装置５から出力された画像データか否かの判定結果に応じて、画像処理部１２２に出力する設定情報を更新する。設定情報保持部１２７が設定情報を更新する際の動作の詳細については後述する。
【００４３】
カメラ情報画面生成部１２８は、メタ情報解析部１２５から入力された第１画像データ及び第２画像データのメタ情報を参照してカメラ情報画面を生成し、カメラ情報画面を画面合成部１２３に出力する。カメラ情報画面生成部１２８は、例えば、図４に示した出力装置情報を含むカメラ情報画面を生成する。また、カメラ情報画面生成部１２８は、同一性判定部１２６から入力された判定結果に応じて、カメラ情報画面を表示するか表示しないかを判定する。カメラ情報画面生成部１２８は、同一性判定部１２６から入力された判定結果が、第１画像データと第２画像データとが同一の撮影装置５から出力されたことを示している場合、一方の画像データに対して出力装置情報を重畳し、他の画像データに対して出力装置情報を重畳しないようにしてカメラ情報画面を生成する。カメラ情報画面生成部１２８の動作の詳細については後述する。
【００４４】
［表示装置１の処理の流れ］
図６は、表示装置１の処理の流れを示すフローチャートである。
まず、第１画像取得部１１１及び第２画像取得部１１２が、撮影装置５から出力された映像信号に含まれる画像データ及びメタ情報を取得する（Ｓ１０１）。
【００４５】
続いて、画像合成部１２１が、表示モードに応じて第１画像データ及び第２画像データを合成する（Ｓ１０２）。画像合成部１２１は、表示モードが「第１画像表示モード」であれば、第１画像データを画面の中央に配置した合成画像データを生成する。画像合成部１２１は、表示モードが「第２画像表示モード」であれば、第２画像データを画面の中央に配置した合成画像データを生成する。画像合成部１２１は、表示モードが「マルチ表示モード」であれば、第１画像データを画面の左に配置し、第２画像データを画面の右に配置した合成画像データを生成する。
【００４６】
続いて、画像処理部１２２は、設定情報保持部１２７から取得した画質設定情報に基づいて、画像合成部１２１が生成した合成画像データに画像処理を適用する（Ｓ１０３）。画像処理部１２２は、表示モードが「マルチ表示モード」である場合は、画質設定情報の「画質設定対象」に基づいて画像処理の適用領域を決定する。画像処理部１２２は、「画質設定対象」が「全画像」であれば、複数の画像データに所定の画像処理を適用する。画像処理部１２２は、「画質設定対象」が「左画像」であれば、画面の左の領域に表示される第１画像データに対してのみ画像処理を適用する。画像処理部１２２は、「画質設定対象」が「右画像」であれば、画面の右の領域に表示される第２画像データに対してのみ画像処理を適用する。
【００４７】
続いて、画面合成部１２３は、カメラ情報画面生成部１２８から入力されたカメラ情報画面を、画像処理後の合成画像データに重畳して表示画像データを生成する（Ｓ１０４）。表示画像出力部１２４は、画面合成部１２３が生成した表示画像データを表示部１３に出力する（Ｓ１０５）。表示部１３は、表示画像出力部１２４から入力された表示画像データを表示する（Ｓ１０６）。
【００４８】
［表示画面例］
図７は、各表示モードにおいて表示される画面の例を示す図である。図７においては、第１画像データと第２画像データとが、それぞれ異なる撮影装置５から入力された場合の例が示されている。
【００４９】
図７（ａ）は、表示モードが「第１画像表示モード」である場合の画面例である。この場合、画像処理部１２２が画像処理を適用する領域は画面全体であり、カメラ情報画面には、第１画像データに対応する情報のみが表示される。
【００５０】
図７（ｂ）は、表示モードが「第２画像表示モード」である場合の画面例である。この場合、画像処理部１２２が画像処理を適用する領域は画面全体であり、カメラ情報画面には、第２画像データに対応する情報のみが表示される。
【００５１】
図７（ｃ）は、表示モードが「マルチ表示モード」である場合の画面例である。この場合、画像処理部１２２が画像処理を適用する領域は、画質設定情報の「画質設定対象」に応じて決定され、カメラ情報画面には、第１画像データ及び第２画像データのそれぞれの情報が表示される。
【００５２】
［同一の画像を表示する際の処理の流れ］
図８は、同一の画像を表示する際の処理の流れを示すフローチャートである。図８の処理フローチャートは、画像取得部１１が第１画像データ及び第２画像データを取得した処理から開始する（Ｓ２０１）。画像取得部１１が第１画像データ及び第２画像データを取得すると、同一性判定部１２６が、第１画像データ及び第２画像データが同一の撮影装置５から出力されたかどうかを判定する（Ｓ２０２）。
【００５３】
設定情報保持部１２７は、同一性判定部１２６による判定結果を参照し、同一の撮影装置５から出力されたという判定結果の場合、画質設定情報の「画質設定対象」が「全画像」であるかどうかを判定する（Ｓ２０３）。設定情報保持部１２７は、「画質設定対象」が「全画像」である場合は、「画質設定対象」を「左画像」に変更する（Ｓ２０４）。設定情報保持部１２７は、「画質設定対象」が「全画像」でなく、「左画像」又は「右画像」に設定されている場合は、「画質設定対象」を変更することなく処理を終了する。
【００５４】
このように、複数の画像データが同一の撮影装置５から出力され、かつ「画質設定対象」が「全画像」に設定されている場合に、自動的に「画質設定対象」を変更することにより、表示装置１は、ユーザが、手動で設定を切り替えることなく、第１画像データ及び第２画像データのうちの一方の画像データのみに画像処理を施すことができる。なお、本実施形態の表示装置１は、「画質設定対象」において設定されている画像データに対して出力装置情報を重畳するものとするが、表示装置１は、出力装置情報を重畳する対象となる画像データを指定する他の設定情報を記憶してもよい。
【００５５】
［カメラ情報画面生成部１２８の処理の流れ］
図９は、カメラ情報画面生成部１２８の処理の流れを示すフローチャートである。図９に示すフローチャートは、表示モードの変更があった場合、同一性判定部１２６における判定結果が変化した場合、又はメタ情報が変化した場合に処理が開始される。
【００５６】
カメラ情報画面生成部１２８は、現在の表示モードを参照し、「マルチ表示モード」であれば、ステップＳ３０２に移行して、第１画像データと第２画像データとが同一の撮影装置５から出力されたかを判定する。カメラ情報画面生成部１２８は、「第１画像表示モード」であればステップＳ３０４に移行し、「第２画像表示モード」であればステップＳ３０５に移行する（Ｓ３０１）。
【００５７】
カメラ情報画面生成部１２８は、表示モードが「マルチ表示モード」である場合、同一性判定部１２６における判定結果を参照する。カメラ情報画面生成部１２８は、判定結果が、第１画像データと第２画像データとが同一の撮影装置５から出力されていないことを示している場合（Ｓ３０２においてＮＯ）、第１画像データ及び第２画像データのメタ情報から、それぞれの画像データに対応するカメラ情報を抽出する。カメラ情報画面生成部１２８は、第１画像データに対応する第１カメラ情報を表示部１３の左の領域に配置し、第２画像データに対応する第２カメラ情報を表示部１３の右の領域に配置したカメラ情報画面を生成する（Ｓ３０３）。
【００５８】
カメラ情報画面生成部１２８は、ステップＳ３０２において参照した判定結果が、第１画像データと第２画像データとが同一の撮影装置５から出力されたことを示している場合（Ｓ３０２においてＹＥＳ）、同じカメラ情報画面が複数表示されてしまうのを抑制するために、第１画像データのみにカメラ情報画面を生成する（Ｓ３０４）。具体的には、カメラ情報画面生成部１２８は、第１画像データのメタ情報から第１画像データに対応するカメラ情報を抽出し、抽出したカメラ情報を含むカメラ情報画面を生成する。
【００５９】
カメラ情報画面生成部１２８は、ステップＳ３０１において第２画像表示モードに設定されていると判定された場合、第２画像データのメタ情報から第２画像データに対応するカメラ情報を抽出する。カメラ情報画面生成部１２８は、抽出したカメラ情報を含むカメラ情報画面を生成する（Ｓ３０５）。
【００６０】
［同一の画像の表示例］
続いて、図１０及び図１１を参照して、第１画像データ及び第２画像データが同一である場合の画像処理適用結果及び表示画面例について説明する。図１０は、画質設定情報の設定状態を示す図である。図１１は、表示画面例を示す図である。
【００６１】
図１０（ａ）は、表示モードが「第１画像表示モード」に設定されている場合の画質設定情報の例を示しており、図１１（ａ）は、この場合の表示画面例を示している。図１０（ａ）に示す画質設定情報においては、画質設定対象が「全画像」、フォルスカラーが「ＯＮ」、その他の項目は「ＯＦＦ」と設定されている。図１１（ａ）は、画質設定情報が図１０（ａ）に示す状態である場合の表示画面例である。表示モードが「第１画像表示モード」であるため、図１１（ａ）においては、フォルスカラーに変換する画像処理が全領域に適用され、表示対象の第１画像データに対応するカメラ情報が表示されている。
【００６２】
図１０（ｂ）は、表示モードが「第１画像表示モード」から「マルチ表示モード」に切り替えられた場合の画質設定情報の例を示しており、図１１（ｂ）は、この場合の表示画面例を示している。同一性判定部１２６における判定結果が、第１画像データと第２画像データとが同一の撮影装置５から出力されていることを示している場合、図８に示したフローチャートのステップＳ２０３において、画質設定情報の画質設定対象が「全画像」から「左画像」に変更されるため、図１０（ｂ）のように画質設定情報が変更される。そして、フォルスカラー「ＯＮ」設定による画像処理が、左領域に表示される第１画像データにのみ適用され、右領域には、画像処理が適用されない第２画像データが表示される。
【００６３】
また、表示モードが「マルチ表示モード」であり、かつ同一性判定部１２６における判定結果が、第１画像データと第２画像データとが同一の撮影装置５から出力されていることを示している場合、図９のフローチャートのステップＳ３０４に示したように、第１画像データに対応するカメラ情報のみが表示される。その結果、図１１（ｂ）に示すように、表示モードが「マルチ表示モード」であり、かつ第１画像データ及び第２画像データが同一の撮影装置５から出力されている場合、画像処理が左領域にのみ適用され、カメラ情報が左領域のみに表示される。
【００６４】
［第１の実施形態の表示装置１による効果］
以上説明したように、第１の実施形態に係る表示装置１は、入力される複数の映像信号に対応する画像データが同一の撮影装置５から出力されたかどうかを判定し、同一の撮影装置５から出力されている場合に、一方の画像データのみに画像処理を施して表示する。また、表示装置１は、一方の画像データに対応するカメラ情報のみを表示する。このようにすることで、複数の画像データが同一の撮影装置５から出力されている場合に、表示装置１が、画像処理が施された状態の画像データと画像処理が施されていない状態の画像データとを表示できるので、ユーザは、どの画像データに画像処理を施すかに関する設定操作をすることなく複数の画像を比較することが可能になる。その結果、ユーザが、画質設定対象を手動で設定するという作業や、同一のカメラ情報が同時に表示されることによる煩わしさを無くすことができ、ユーザの作業を効率化することができる。
【００６５】
（変形例）
以上の説明において、画質設定情報は、図３に示すようなテーブルであるとしたが、より詳細な画質設定項目を含んでもよい。
また、以上の説明において、同一性判定部１２６が同一の画像であるか否かの判定に用いる信号フォーマット情報は、図４に示すようなテーブルであるとしたが、信号フォーマット情報は、より詳細なフォーマット情報を含んでもよい。
【００６６】
以上の説明において、同一性判定部１２６が、複数の画像データが同一の撮影装置５から出力されているか否かの判定に用いる出力装置情報は、図５に示すようなテーブルであるとしたが、出力装置情報は、より詳細な情報を含んでもよい。
また、以上の説明において、同一性判定部１２６が、メタ情報のすべての項目を比較した結果に基づいて同一の画像であるか否かを判定したが、同一性判定部１２６は、メタ情報のうちの一部の情報のみを用いてもよい。
【００６７】
また、以上の説明において、表示装置１が２つの画像データを取得し、２つの画像データを同時に表示する場合について説明したが、表示装置１は、より多くの画像データを表示してもよい。例えば、表示装置１は、左上、右上、左下、右下の４つの領域に４つの画像データを表示してもよい。この場合、表示装置１は、４つの画像データのうち、少なくとも２つの画像データが同一の撮影装置５から出力されているときは、これらの２つの画像データの一方に所定の画像処理を施し、他方に所定の画像処理を施さない。また、これらの２つの画像データの一方に出力装置情報を重畳し、他方に出力装置情報を重畳しない。
【００６８】
＜第２の実施形態＞
第２の実施形態に係る表示装置２は、入力された映像信号をそのまま出力するスルーアウト機能を有する点で、第１の実施形態に係る表示装置１と異なる。
図１２は、第２の実施形態に係る表示装置２の構成を示す図である。以下、第１の実施形態に係る表示装置１と異なる点について説明する。
【００６９】
表示装置２は、表示装置１と同様の画像取得部１１、表示制御部１２及び表示部１３に加えて、画像出力部１４を有している。画像出力部１４は、情報付加部１４１と、第１画像出力部１４２と、第２画像出力部１４３とを有する。画像出力部１４は、画像取得部１１が取得した複数の画像データのうちの少なくとも一つの画像データに、表示装置１に関連付けられた表示装置情報を付加して出力する。表示装置情報の詳細については後述する。
【００７０】
第１画像取得部１１１は、取得した第１画像データを、画像合成部１２１及びメタ情報解析部１２５とともに、情報付加部１４１にも出力する。同様に、第２画像取得部１１２は、取得した第２画像データを、画像合成部１２１及びメタ情報解析部１２５とともに、情報付加部１４１にも出力する。
【００７１】
情報付加部１４１は、入力された第１画像データ及び第２画像データに、表示装置情報としてのスルーアウト情報を付加して、第１画像出力部１４２及び第２画像出力部１４３に出力する。情報付加部１４１は、例えば、ＳＤＩ信号のアンシラリデータ領域の未使用領域にスルーアウト情報を付加する。スルーアウト情報は、表示装置２を特定するための情報と、画像取得部１１が有する複数の画像取得インタフェース（例えば第１画像取得部１１１及び第２画像取得部１１２）のうち、どの画像取得インタフェースから画像データが取得されたかを特定するための入力部情報とを含む。
【００７２】
図１３は、スルーアウト情報の一例を示すテーブルである。図１３に示すように、スルーアウト情報には、機種名、シリアル番号及び入力部情報が含まれている。機種名には、画像データをスルーアウト出力する表示装置２の機種名が格納される。シリアル番号には、画像データをスルーアウト出力する表示装置２のシリアル番号が格納される。入力部情報には、第１画像取得部１１１及び第２画像取得部１１２のどちらが取得した画像データを出力するかを示す情報が格納される。本実施形態では、第１画像取得部１１１が取得した画像データを出力する場合には「１」、第２画像取得部１１２が取得した画像データを出力する場合には「２」が入力部情報に格納される。
【００７３】
第１画像出力部１４２及び第２画像出力部１４３は、情報付加部１４１でスルーアウト情報が付加された第１画像データ及び第２画像データを含む映像信号を外部機器へと出力する。本実施形態においては、第１画像取得部１１１が取得した第１画像データを含む映像信号を第１画像出力部１４２が出力し、出力された映像信号が、外部機器としての表示装置２の第２画像取得部１１２に入力されるものとする。
【００７４】
表示制御部１２は、第１画像取得部１１１が取得した第１画像データに関連付けられたメタ情報に含まれているスルーアウト情報が、第２画像取得部１１２に対応する入力部情報を含んでいる場合に、複数の画像データが同一の撮影装置５から出力された画像データであると判定する。表示制御部１２が、判定結果に基づいて、画像処理を施す対象となる画像データ又は領域を決定する処理は、第１の実施形態と同様である。表示制御部１２は、第１の実施形態と同様に、判定結果に基づいて、出力装置情報を表示する対象となる画像データ又は領域を決定してもよい。
【００７５】
図１４は、第２の実施形態に係る同一性判定部１２６が、複数の画像データを出力した撮影装置５の同一性を判定する処理のフローチャートである。図１４のフローチャートは、同一性判定部１２６にメタ情報が入力されたことにより開始する。
【００７６】
同一性判定部１２６は、メタ情報が入力されると、メタ情報にスルーアウト情報が含まれているかどうかを判定する（Ｓ４０１）。同一性判定部１２６は、メタ情報にスルーアウト情報が含まれていると判定した場合はステップＳ４０２に移行し、スルーアウト情報が含まれていないと判定した場合は、ステップＳ４０４に移行する。
【００７７】
ステップＳ４０２において、同一性判定部１２６は、スルーアウト情報が示す機種名及びシリアル番号が表示装置２の機種名及びシリアル番号と同一であるかどうかを判定する。同一性判定部１２６は、スルーアウト情報が示す機種名及びシリアル番号が表示装置２の機種名及びシリアル番号と一致すると判定した場合、ステップＳ４０３に移行し、一致しなければＳ４０４に移行する（Ｓ４０２）。
【００７８】
ステップＳ４０３において、同一性判定部１２６は、スルーアウト情報が示す入力部情報が、スルーアウト情報を含む画像データを取得した第２画像取得部１１２と異なる第１画像取得部１１１に対応するか否かを判定する。すなわち、同一性判定部１２６は、左領域に表示する対象となる第２画像データが、右領域に表示する対象となる第１画像データと同一であるか否かを判定する。例えば、同一性判定部１２６は、第２画像取得部１１２が取得した第２画像データに含まれるスルーアウト情報が示す入力部情報が「１」である場合、第２画像データは、第１画像取得部１１１に入力された第１画像データと同一であると判定する。
【００７９】
同一性判定部１２６は、第１画像取得部１１１及び第２画像取得部１１２のいずれかが取得した画像データのスルーアウト情報が示す入力部情報が、他方の画像取得部に対応している場合、他方の画像取得部が取得した画像データがスルーアウト出力されたものであると判定し、ステップＳ４０６に移行する。同一性判定部１２６は、第１画像取得部１１１及び第２画像取得部１１２のいずれかが取得した画像データのスルーアウト情報が示す入力部情報が、他方の画像取得部に対応していない場合、ステップＳ４０４に移行する。
【００８０】
ステップＳ４０４において、同一性判定部１２６は、第１の実施形態の表示装置１と同様に、第１画像データに対応する信号フォーマット情報及び出力装置情報と、第２画像データに対応する信号フォーマット情報及び出力装置情報とを比較する。同一性判定部１２６は、比較した結果が一致した場合はステップＳ４０６に移行し、一致しなかった場合はＳ４０７に移行する（Ｓ４０５）。
【００８１】
ステップＳ４０６において、同一性判定部１２６は、第１画像データと第２画像データとが同一の撮影装置５から出力されていると判定する。また、ステップＳ４０７において、同一性判定部１２６は、第１画像データと第２画像データとが同一の撮影装置５から出力されていないと判定する。同一性判定部１２６は、ステップＳ４０６及びステップＳ４０７における判定結果を設定情報保持部１２７及びカメラ情報画面生成部１２８に出力する。
【００８２】
［第２の実施形態の表示装置２による効果］
以上説明したように、表示装置２は、第１画像取得部１１１が取得した第１画像データに対応する映像信号をスルーアウト出力する。表示装置２は、スルーアウト出力した映像信号に付加されたスルーアウト情報を利用することで、スルーアウト出力した映像信号を第２画像取得部１１２に入力するというユースケースにおいて、信号フォーマット情報及び出力装置情報を参照することなく、画像取得部１１に入力された複数の画像データが、同一の撮影装置５から出力されたか否かを容易に判定することができる。表示装置２は、信号フォーマット情報及び出力装置情報を参照する必要がないので、メタ情報として信号フォーマット情報及び出力装置情報を含まない映像信号が入力された場合であっても、複数の画像データが同一の撮影装置５から出力されたかどうかを判定することができる。
【００８３】
＜第３の実施形態＞
第３の実施形態に係る表示装置３は、入力された映像信号を複製する機能を有する点で、第１の実施形態に係る表示装置１及び第２の実施形態に係る表示装置２と異なる。表示装置３は、映像信号を複製して左画像及び右画像を生成するので、左画面用の画質モードと右画面用の画質モードとが同一かどうかによって、左画像と右画像とが同一であるか否かを判定する。
【００８４】
図１５は、第３の実施形態に係る表示装置３の構成を示す図である。以下、第１の実施態に係る表示装置１と異なる点について説明する。
表示装置３は、表示装置１と同様に、画像取得部１１、表示制御部１２及び表示部１３を有している。表示装置３の表示制御部１２は、画像複製部１２９を有し、メタ情報解析部１２５及び同一性判定部１２６を有しない点で表示装置１の表示制御部１２と異なっている。
【００８５】
また、画像取得部１１が第１画像取得部１１１を有するが第２画像取得部１１２を有しない点で、表示装置１と異なっている。第１画像取得部１１１は、取得した第１画像データを、画像合成部１２１及びメタ情報解析部１２５とともに、画像複製部１２９にも出力する。画像取得部１１が第１画像取得部１１１のみを有するので、表示装置３が表示するカメラ情報は、表示モードによらず常に一つである。
【００８６】
表示制御部１２は、第１画像データと、第１画像データを複製して生成した第２画像データとを含む複数の画像データを表示する表示モードに設定されていると判定した場合に、複数の画像データのうち少なくとも一つの画像データに所定の画像処理を施す。この場合、表示制御部１２は、他の少なくとも一つの画像データに所定の画像処理を施さないで、複数の画像データを表示部１３に表示させる。
【００８７】
表示装置３の設定情報保持部１２７は、第１の実施形態で説明した画質設定情報とは別に、左画面用の画質モードおよび右画面用の画質モードを保持する。画質モードとは、画像を所定の色域や階調変換ガンマ等により定められる画質のモードである。表示装置３は、入力した画像信号に対して予め登録されているＬＵＴ（ルックアップテーブル）を適用することで、ユーザ所望の画質の画像を表示することができる。画質モードには例えば、「ＩＴＵ−Ｒ  ＢＴ．７０９」、「ＩＴＵ−Ｒ  ＢＴ．２０２０」、及び「ＡｄｏｂｅＲＧＢ」といったモードがあり、設定情報保持部１２７は、ユーザにより設定された左画面用の画質モード及び右画面用の画質モードを保持する。
【００８８】
画像処理部１２２は、まず、設定情報保持部１２７から左画面用の画質モード及び右画面用の画質モードを取得する。画像処理部１２２は、左画面用の画質モード及び右画面用の画質モードのそれぞれに応じたＬＵＴを入力された画像に適用することで、左画面及び右画面のそれぞれにおいて所望の画質モードによる画像処理を実行する。その後、画像処理部１２２は、第１の実施形態で説明した処理と同様に、設定情報保持部１２７から取得した画質設定情報に応じた画質設定処理を実行する。
【００８９】
画像複製部１２９は、ユーザにより設定された表示モードが複製マルチ表示モードであると判定した場合、第１画像取得部１１１から入力された第１画像データを複製した第２画像データを生成する。ここで、複製マルチ表示モードは、第１画像データから第２画像データを複製し、第１画像データと第２画像データとを同時に表示するマルチ表示モードである。なお、表示装置３は、画像複製部１２９において第１画像データから２つ以上の画像データを複製することにより、合計３つ以上の画像データを同時に表示してもよい。
【００９０】
表示装置３は、複製を実行する「複製マルチ表示モード」とともに、第１の実施形態及び第２の実施形態で説明したように複製を実行せずに第１画像データのみを表示する「第１画像表示モード」を有している。ユーザは、これらの表示モードから所望の表示モードを選択することができる。なお、表示装置３は、第１の実施形態及び第２の実施形態で説明したように、外部から取得した第１画像データと外部から取得した第２画像データとを同時に表示する「マルチ表示モード」をさらに有していてもよい。
【００９１】
画像複製部１２９は、設定された表示モードが複製マルチ表示モードであると判定した場合、左画面用の画質モード、右画面用の画質モード、及び画質設定情報を設定情報保持部１２７から取得する。左画面用の画質モードと右画面用の画質モードとが異なる場合、又は画質設定情報の「画質設定対象」以外のいずれかの項目が「ＯＮ」である場合、画像複製部１２９は、第１画像データを複製して第２画像データを生成し、生成した第２画像データを画像合成部１２１へ出力する。画像複製部１２９は、それ以外の場合、第１画像データを複製せずに処理を終了する。画像複製部１２９は、画質モード又は画質設定情報が更新された場合は、複製するか否かの判定を再度実行する。
【００９２】
図１６は、同一の画像を表示する際の処理の流れを示すフローチャートである。図１６のフローチャートは、画像取得部１１が第１画像データを取得した処理から開始する（Ｓ５０１）。画像取得部１１が第１画像データを取得すると、画像複製部１２９は、現在の表示モード及び設定情報保持部１２７から取得した画質設定情報に基づいて、第１画像データの複製を実行するかどうかを判定する（Ｓ５０２）。
【００９３】
設定情報保持部１２７は、画像複製部１２９が複製マルチ表示モードで複製を実行すると判定した場合、設定情報保持部１２７が保持している左画面用の画質モード及び右画面用の画質モードを参照し、左画面用の画質モードと右画面用の画質モードとが同一であるか否かを判定する（Ｓ５０４）。設定情報保持部１２７は、左画面用の画質モードと右画面用の画質モードとが同一であると判定した場合は、左右の画像が完全に同一であると判定し、「画質設定対象」を変更するかどうかを判定するためにＳ５０４へ移行する。設定情報保持部１２７は、左画面用の画質モードと右画面用の画質モードとが異なる場合は、「画質設定対象」を変更することなく処理を終了する。
【００９４】
設定情報保持部１２７は、左画面用の画質モードと右画面用の画質モードとが同一であると判定した場合、画質設定情報の「画質設定対象」が「全画像」であるかどうかを判定する（Ｓ５０４）。設定情報保持部１２７は、「画質設定対象」が「全画像」である場合は、「画質設定対象」を「左画像」に変更する（Ｓ５０５）。設定情報保持部１２７は、「画質設定対象」が「全画像」でなく、「左画像」又は「右画像」に設定されている場合は、「画質設定対象」を変更することなく処理を終了する。
【００９５】
このように、表示装置３においては、画像データの複製が実行され、かつ左右の画質モードが一致しているとともに、「画質設定対象」が「全画像」に設定されている場合に、設定情報保持部１２７が自動的に「画質設定対象」を変更する。したがって、表示装置３においては、ユーザが手動で設定を切り替えることなく、第１画像データ及び複製した第２画像データのうちの一方の画像データに画像処理を施すことができる。
【００９６】
また、表示制御部１２（画面合成部１２３）は、複製マルチ表示モードで複製を実行すると判定した場合に、複数の画像データのうち少なくとも一つの画像データ（例えば第１画像データ）に、第１画像データを出力した撮影装置５に関連する情報である出力装置情報を重畳し、かつ他の少なくとも一つの画像データ（例えば第２画像データ）に出力装置情報を重畳しないで複数の画像データを表示部１３に表示させる。例えば、表示制御部１２は、複製マルチ表示モードで複製を実行すると判定した場合に、第１画像データに対応する位置に出力装置情報を配置して表示させ、第２画像データに対応する位置に出力装置情報を配置せず、出力装置情報を表示させない。このようにすることで、同一の情報が表示部１３の複数の箇所に表示されて、画像が見づらくなることを防止することができる。
【００９７】
［第３の実施形態の表示装置３による効果］
以上説明したように、表示装置３は、第１画像取得部１１１が取得した第１画像データを複製して第２画像データを生成する画像複製部１２９を有する。表示装置３がこのような構成を有することにより、表示装置３は、画像が複製されているかどうか、及び画質モードが同一かどうかという情報に基づいて、画像処理を施す対象を自動的に変更することができる。したがって、入力した第１画像データと複製した第２画像データを同時に表示するというユースケースにおいて、ユーザが画質設定対象を手動で切り替える必要がないという効果が生じる。
【００９８】
＜第４の実施形態＞
第１の実施形態〜第３の実施形態においては、表示装置１〜表示装置３が、画像処理を施したり、出力装置情報を表示したりする対象となる画像データ又は領域を決定した。これに対して、第３の実施形態は、表示装置又は表示パネルに対して画像を出力する電子機器が、画像処理を施したり、出力装置情報を表示したりする対象となる画像データ又は領域を決定し、画像処理後の画像又は出力装置情報を重畳した後の画像を表示装置又は表示パネルに出力するという点で、第１の実施形態〜第３の実施形態と異なる。
【００９９】
第４の実施形態に係る電子機器は、例えば、表示装置又は表示パネルに対して画像を出力するコンピュータである。コンピュータは、ＣＤ−ＲＯＭ、ＤＶＤ、又はハードディスク等の記録媒体に記憶されたプログラムを実行することにより、第１の実施形態及び第２の実施形態における画像取得部１１及び表示制御部１２と同等の機能を実現することができる。
【０１００】
以上、本発明の実施の形態、及びいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。
【符号の説明】
【０１０１】
１  表示装置
１１  画像取得部
１２  表示制御部
１３  表示部
【図１】
2017227864.tif 000003
【図２】
2017227864.tif 000004
【図３】
2017227864.tif 000005
【図４】
2017227864.tif 000006
【図５】
2017227864.tif 000007
【図６】
2017227864.tif 000008
【図７】
2017227864.tif 000009
【図８】
2017227864.tif 000010
【図９】
2017227864.tif 000011
【図１０】
2017227864.tif 000012
【図１１】
2017227864.tif 000013
【図１２】
2017227864.tif 000014
【図１３】
2017227864.tif 000015
【図１４】
2017227864.tif 000016
【図１５】
2017227864.tif 000017
【図１６】
2017227864.tif 000018